(57)【要約】【課題】上部緩衝部材と下部緩衝部材からなる包装用緩衝材として、肉盗みの開口部を有する上部緩衝部材で、背部側壁外面の突起部と背部側壁とにより付属品の収納部を画したものにおいて、開口部による肉盗みの効果を損なうことなく側面落下等による割れの発生を防止できるようにする。【解決手段】外装箱内の上下部に配置される上部緩衝部材１０と下部緩衝部材２０のうち、上部緩衝部材１０は、被包装物の上部に嵌合する凹部１１と、凹部１１から上面に貫通する開口部１４を有し、背部側壁１２の外面に突起部１３を備え、この突起部１３と背部側壁１２とにより外装箱内の隅角部分に付属品用の収納部３０を画するようにし、開口部１４における背部側壁１２に、突起部側面と背部側壁外面との交差部１５と対応する開口部内面側の部位に補強用の肉盛り部１６を設ける。【選択図】図７
2013203408.tif 000002
【特許請求の範囲】
【請求項１】
外装箱内の上下部に対向して配置され、被包装物の上部及び下部をそれぞれ保持する発泡樹脂製の上部緩衝部材及び下部緩衝部材とからなる包装用緩衝材であり、前記上部緩衝部材は、下面側に被包装物の上部に嵌合する凹部を有するとともに、該凹部から上面に貫通する開口部が形成され、背部側壁の外面に、外装箱内面に当接して該背部側壁を外装箱内面から離隔させる突起部が設けられており、前記突起部と背部側壁とにより外装箱内における少なくとも左右一方の隅角部分に被包装物の付属品用の収納部を画する包装用緩衝材において、
前記上部緩衝部材の前記開口部における背部側壁に、前記突起部の側面と背部側壁外面との交差部の開口部内面側の部位に補強用の肉盛り部が設けられてなることを特徴とする包装用緩衝材。
【請求項２】
被包装物が背部中央部に下方に延びる突出部片を有し、前記上部緩衝部材には、前記突出部片の上方位置に相当する背部側壁の外面中央部に外装箱内面に当接する突起部が設けられ、前記付属品用の収納部が前記突出部片の収納部を避けて外装箱内における少なくとも左右一方の隅角部分に画されている請求項１に記載の包装用緩衝材。
【請求項３】
前記補強用の肉盛り部が、前記突起部側面と背部側壁外面との交差部と前後に対応する開口部内面側の位置を含む部位に所要の幅を持って形成されてなる請求項１又は２に記載の包装用緩衝材。
【請求項４】
前記補強用の肉盛り部が、前記突起部側面と背部側壁外面との交差部と前後に対応する開口部内面側の位置を中心として、平面半円形をなして上下に延びるリブ状をなしている請求項３に記載の包装用緩衝材。
【請求項５】
前記突起部の幅方向中央部が、他より厚肉の背部側壁を残余させるように凹設され、両側端部が凸状をなしている請求項１〜４のいずれか１項に記載の包装用緩衝材。
【請求項６】
前記突起部の凹設部内の両側面がテーパ状の傾斜面をなしている請求項５に記載の包装用緩衝材。
【発明の詳細な説明】
【技術分野】
【０００１】
本発明は、主として家電製品等の被包装物の主製品と、これに付属する付属品を併せて梱包するのに使用する包装用緩衝材に関するものである。
【背景技術】
【０００２】
従来より、例えばパーソナルコンピュータのディスプレイ（主製品）とキーボードや説明書（付属品）、あるいテレビ（主製品）とスタンドや説明書（付属品）等の主として付属品を含む家電製品の輸送のための梱包には、一般に、直方体形状をなすダンボール箱等の外装箱と組み合わせて、外装箱内の上下部に対向して配置される発泡樹脂製の上部緩衝部材と下部緩衝部材からなる包装用緩衝材が使用されている。
【０００３】
この包装用緩衝材の上部緩衝部材及び下部緩衝部材は、大型製品である場合等の被包装物の種類によっては、それぞれ左右両側部に分離して配置するタイプのものがある（特許文献１）。分離タイプの場合は、緩衝部材の個数が多くなり、取り扱いに不便である上、梱包作業も面倒になる。そのため、被包装物が例えばディスプレイや薄型テレビ等の製品である場合は、下部緩衝部材及び上部緩衝部材はそれぞれ一体に形成されタイプが多い（特許文献２）。
【０００４】
かかるタイプの包装用緩衝材として、本出願人は、図９〜図１１に示す形態のものを提案している。この包装用緩衝材の場合、下部緩衝部材１２０には被包装物の主製品Ｂの下端部に嵌合する上方向きの凹部１２１が設けられ、また上部緩衝部材１１０には主製品Ｂの上端部が嵌合する下方向きの凹部１１１が形成されている。そして、被包装物の主製品Ｂと併せて付属品、例えばパソコンの場合のキーボードや説明書等を包装する場合、上部緩衝部材１１０の背部側壁１１２の外面には、外装箱の内面に当接して該背部側壁１１２の外面を外装箱内面から離隔させる突起部１１３が設けられ、前記突起部１１３と背部側壁１１２とにより外装箱内における少なくとも一方の隅角部の側に付属品の収納部１３０を形成するようにしている。図１１の鎖線Ｃは外装箱を示している。
【０００５】
ところで、前記上部緩衝部材１１０には、材料節約のための肉盗みの手段として、緩衝保護の効果に殆ど影響のない平面中央部に、前記凹部１１１から上面に貫通する開口部１１４が形成される場合がある。この場合も、背部側壁１１２の前記突起部１１３と背部側壁１１２とにより外装箱内の隅角部分に付属品ｂ２の収納部１３０が形成される。
【０００６】
そのため、前記付属品の収納部１３０に、例えばキーボードや説明書等の付属品あるいはこれらをカートンで包装した包装体（付属品ｂ２とする）を収容して梱包し輸送に供する。この梱包体の輸送上の取り扱いにおいて、側面落下や側部稜落下あるいは角落下が生じた際に、前記付属品ｂ２を介して上部緩衝部材１１０の前記突起部１１３に強い力がかかり、前記突起部１１３の側面と背部側壁１１２の外面との交差部１１５に割り裂くような応力が集中し、該交差部１１５を起点として内方向への割れや裂け目１１７が発生することがあった。特に、前記のように、上部緩衝部材１１０に凹部１１１から上面に貫通する肉盗みのための開口部１１４が形成されているために、前記の割れや裂け目１１７が背部側壁１１２の前記開口部１１４の内面にまで達して完全に割れてしまうことがあり、耐久性を損なうおそれがあった。なお、割れの発生を防止するために、肉盗みのための開口部を形成しないで実施した場合には、材料節約の効果が得られないことになる。
【先行技術文献】
【特許文献】
【０００７】
【特許文献１】特開２００８−１９５４０５号公報
【特許文献２】特開２０１０−１４９８７１号公報
【発明の概要】
【発明が解決しようとする課題】
【０００８】
本発明は、上記の問題を解消するためになしたものであり、外装箱内の上下部に対向配置される発泡樹脂製の上部緩衝部材と下部緩衝部材とからなる包装用緩衝材として、肉盗みのための開口部を有する上部緩衝部材で、背部側壁外面に設けた突起部と背部側壁とにより付属品の収納部を画する構造のものにおいて、開口部による肉盗みの効果を損なうことなく、梱包状態での側面落下や側部稜落下等による割れの発生を防止できるようにした包装用緩衝材を提供するものである。
【課題を解決するための手段】
【０００９】
上記の課題を解決する本発明の包装用緩衝材は、外装箱内の上下部に対向して配置され、被包装物の上部及び下部をそれぞれ保持する発泡樹脂製の上部緩衝部材及び下部緩衝部材とからなる包装用緩衝材であり、前記上部緩衝部材は、下面側に被包装物の上部に嵌合する凹部を有するとともに、該凹部から上面に貫通する開口部が形成され、背部側壁の外面に、外装箱内面に当接して該背部側壁を外装箱内面から離隔させる突起部が設けられており、前記突起部と背部側壁とにより外装箱内における少なくとも左右一方の隅角部分に被包装物の付属品用の収納部を画する包装用緩衝材において、前記上部緩衝部材の前記開口部における背部側壁に、前記突起部の側面と背部側壁外面との交差部の開口部内面側の部位に補強用の肉盛り部が設けられてなることを特徴とする。
【００１０】
この包装用緩衝材によれば、外装箱内の上部と下部に上部緩衝部材と下部緩衝部材を配置して被包装物としての主製品の上部と下部を保持して収納し、さらに上部緩衝部材の背部側壁と突起部とにより画される付属品用の収納部に、付属品（カートにより包装した物を含む）を収納し、こうして梱包した状態で輸送に供する。この際、側面落下や側部稜落下あるいは角落下により、付属品を介して上部緩衝部材の背部側壁から突出する突起部に強い力が作用し、該突起部の側面と背部側壁の外面との交差部に割り裂くような応力が集中した場合に、背部側壁における前記交差部から開口部内面側への割れや裂け目の発生さらにはその拡大を、前記交差部と対応する開口部内面側の部位の前記肉盛り部により抑制できる。
【００１１】
前記の包装用緩衝材において、被包装物が背部中央部に下方に延びる突出部片を有し、前記上部緩衝部材には、前記突出部片の上方位置に相当する背部側壁の外面中央部に外装箱内面に当接する突起部が設けられ、前記付属品用の収納部が前記突出部片の収納部を避けて外装箱内における少なくとも左右一方の隅角部分に画されているものとするのが好ましい。
【００１２】
前記の包装用緩衝材において、前記補強用の肉盛り部が、前記突起部側面と背部側壁外面との交差部と前後に対応する開口部内面側の位置を含む部位に所要の幅を持って形成されてなるものとする。これにより、肉盛り部による割れ防止の補強の効果を良好に発揮できる。この場合、前記補強用の肉盛り部が、前記突起部側面と背部側壁外面との交差部と前後に対応する開口部内面側の位置を中心として、平面半円形をなして上下に延びるリブ状をなしているものとするのが好ましい。
【００１３】
前記の包装用緩衝材において、前記突起部の幅方向中央部が、他より厚肉の背部側壁を残余させるように凹設され、両側端部が凸状をなしているものとするのが好ましい。これにより、付属品用の収納部を画する突起部全体としての保形強度を保持しながら肉盗みによる材料節約の効果も発揮できる。前記突起部の凹設部内の両側面がテーパ状の傾斜面をなしている場合、前記突起部の中央部凹設されていても、凸状の両側端部が弱くなることがない。
【発明の効果】
【００１４】
本発明は、外装箱内の上下部に対向配置され、被包装物の上端部及び下端部をそれぞれ保持する発泡樹脂製の上部緩衝部材及び下部緩衝部材とからなる包装用緩衝材で、上部緩衝部材の背部側壁の外面に外装箱内面に当接する突起部を設けて、該突起部と背部側壁とにより付属品用の収納部を画するようにしたものにおいて、肉盗みによる材料節約の効果を損なうことなく、梱包体の側面落下や側部稜落下あるいは角落下による上部緩衝部材の割れの発生を防止することができ、耐久性を高めることができる。
【図面の簡単な説明】
【００１５】
【図１】本発明の包装用緩衝材の上部緩衝部材及び下部緩衝部材と被包装物との分離した正面側からの斜視図である。
【図２】同上の上部緩衝部材及び下部緩衝部材と被包装物の分離した背面側からの斜視図である。
【図３】下部緩衝部材の平面図（ａ）と、底面図（ｂ）と、背面図（ｃ）と、Ｃ１−Ｃ１線の断面図（ｄ）である。
【図４】上部緩衝部材の平面図（ａ）と、底面図（ｂ）と、背面図（ｃ）と、Ｃ２−Ｃ２線の断面図（ｄ）である。
【図５】上部緩衝部材の肉盛り部の部分を示す一部の拡大平面である。
【図６】（ａ）（ｂ）（ｃ）（ｄ）（ｅ）のそれぞれ肉盛り部の変形例を示す一部の平面図である。
【図７】外装箱内において被包装物である主製品を下部緩衝部材と上部緩衝部材により保持した状態を、外装箱を省略して示す背面側からの斜視図である。
【図８】同上の付属品を収納した状態の斜視図である。
【図９】改良前の包装用緩衝材の上部緩衝部材と下部緩衝部材を分離した背面側からの斜視図である。
【図１０】同上の外装箱内において被包装物である主製品を下部緩衝部材と上部緩衝部材により保持し、さらに付属品を収容した状態の外装箱を省略して示す背面側からの斜視図である。
【図１１】同上の上部緩衝部材の一部の拡大平面図である。
【発明を実施するための形態】
【００１６】
次に本発明の実施の形態を図面に示す実施例に基づいて説明する。
【００１７】
図は本発明の包装用緩衝材の実施例を示している。この包装用緩衝材Ａは、ダンボール箱等の直方体形状の外装箱（図５以外は図示省略）内において上下部に対向して配置される発泡樹脂製の上部緩衝部材１０と、下部緩衝部材２０とからなる。上部緩衝部材１０及び下部緩衝部材２０は、それぞれ被包装物である例えばパソコンのディスプレイやテレビ等の主製品の上部及び下部を嵌合して保持できる凹部１１，２１が形成されている。
【００１８】
すなわち、前記下部緩衝部材２０は、その底部２０ａが外装箱の底面上に嵌合配置できる形状をなし、上面側に前記被包装物Ｂの下端部を嵌合保持できる凹部２１が形成されるとともに、底部２０ａにおける長手方向（左右方向）の中央部に、該凹部２１から底部下面に貫通する開口部２４が形成されている。図の場合は、被包装物の主製品Ｂが背部中央部に水平の軸心を中心に揺動可能に枢着されて下方に延びるスタンド等の突出部片ｂ１を有するものであることから、前記凹部２１が前側寄りに位置して、凹部２１における背部側壁２２が外装箱の背部側内面から離間して形成されるとともに、該凹部２１の長手方向（左右方向）の中央部に、前記突出部片ｂ１の下端部を嵌合して保持できるように前記凹部２１から背部側への拡張凹部２１ａが、前記背部側壁２２から突出する拡張壁部２３により形成されている。そして、前記拡張壁部２３とその左右に連続する前記背部側壁２２とにより、外装箱内の少なくとも一方の隅角部分、例えば図のように両方の隅角部分に、後述する付属品用の収納部３０を画することができるように構成されている。前記収納部３０に相当する部分は、前記底部２０ａを有し、収容される付属品ｂ２を底部２０ａで受けるようになっている。
【００１９】
図の場合、前記拡張壁部２３は、背面側壁部２３ａが両側部あるいは前記背部側壁２２より厚肉に形成され、輸送中の側面落下等の際に付属品ｂ２を介して作用する外圧に対して容易に変形や割れが生じないようになっている。
【００２０】
また、上部緩衝部材１０は、下面側に被包装物Ｂの上部に嵌合する凹部１１が形成されるとともに、該凹部２１から上面に貫通する開口部１４が形成されている。前記凹部１１は、前記下部緩衝部材２０に対応するように前側寄りに位置して、該凹部１１の背部側壁１２が外装箱の背部側内面から離間して形成されるとともに、背部側壁１２の外面には、外装箱の背部側内面に当接して該背部側壁１２を外装箱の背部側内面から離隔させる突起部１３が設けられている。図の場合、前記突起部１３は、前記突出部片ｂ１を有する被包装物Ｂの形態に応じて、前記突出部片ｂ１の上方位置に相当する背部側壁１２の外面における長手方向（左右方向）の中央部に、外装箱の内面に当接する突起部１３が設けられている。そして、前記突起部１３とその左右に連続する背部側壁１２とにより、外装箱内の少なくとも左右一方の隅角部分、例えば図のように両方の隅角部分に、被包装物Ｂの付属品ｂ２の収納部３０を、前記下部緩衝部材２０と対応して画成できるようになっている。すなわち、キーボードや説明書等の付属品（これをカートンで包装した包装体を含む）ｂ２を、外装箱内における前記隅角部分の前記収納部に対し上部緩衝部材１０の側から挿入することにより、被包装物Ｂの突出部片ｂ１の収容部分を避けて収納しておけるようになっている。図５における鎖線Ｃは外装箱を示している。
【００２１】
そして、本発明の場合、前記上部緩衝部材１０の前記開口部１４における前記背部側壁１２には、前記突起部１３の両側面と両側の背部側壁１２の外面との交差部１５に対応する開口部内面側の部位、具体的には前記交差部１５と前後に対応する開口部内面側の位置（Ｐ）を含む部位に、所要の幅を持った補強用の肉盛り部１６が設けられており、輸送中の側面落下等により突起部１３に強い力がかかり交差部１５に割り裂くような応力（引っ張り応力）が集中した場合の背部側壁１２の割れや裂け目の発生を防止できるようになっている。前記肉盛り部１６は、前記の割れや裂け目は斜めに発生することもあることを考慮して、肉盛りの幅や高さ等が適宜設定される。
【００２２】
前記補強用の肉盛り部１６としては、図１〜図５の実施例のように、前記突起部１３の側面と背部側壁１２の外面との交差部１５と前後に対応する開口部内面側の位置Ｐを中心として平面半円形をなして上下に延びるリブ状をなすものとするほか、種々の形態での実施が可能である。例えば図６の（ａ）（ｂ）のように、前記突起部１３の両側面と両側の背部側壁１２の外面との交差部１５、１５とそれぞれ前後に対応する開口部内面側の２つの位置Ｐ，Ｐの部位に、それぞれ平面台形等の多辺形の肉盛り部１６，１６を設けたり、同図（ｃ）のように、平面半円形や台形の前記２つの肉盛り部１６，１６間の背部側壁１２の部分を開口部１４側に増肉して厚肉に形成したり、同図（ｄ）及び（ｅ）のように、前記２つの位置Ｐ，Ｐの部位を含む広幅の一つの肉盛り部１６を設けて実施することができる。いずれにしても、肉盛り部１６の上端面は、必ずしも上部緩衝部材１０の上面と同一面をなすように形成しておく必要はない。
【００２３】
前記突起部１３は、下部緩衝部材２０の拡張壁部２３と同程度の幅を有する四角形の凸起であっても好いが、図の場合は、材料節約のために、両側端部１３ａ、１３ａを突出状に残余させて幅方向中央部が凹設されている。１３ｂはその凹設部を示す。前記両側端部１３ａ、１３ａの凹設部１３ｂ側の側面は基部側ほど厚肉になるように傾斜面をなしており、容易に変形あるいは破損しないように形成されている。
【００２４】
前記の上部緩衝部材１０及び下部緩衝部材２０としては、各種の発泡樹脂の成形体を使用できるが、熱可塑性樹脂の発泡成形体であることが好ましい。熱可塑性樹脂としては、ポリスチレン系樹脂、ポリオレフィン系樹脂（例えばポリプロピレン系樹脂、ポリエチレン系樹脂）、ポリエステル系樹脂（例えばポリエチレンテレフタレート、ポリブチレンテレフタレート、ポリエチレンナフタレート）、ポリカーボネート系樹脂、ポリ乳酸系樹脂等が挙げられる。樹脂は一種類だけで構成してもよく、二種類以上で構成してもよい。また、前記発泡体の発泡倍率は３〜７０倍が好ましい。
【００２５】
上記した実施例の包装用緩衝材Ａを、薄型のディスプレイやテレビ等の被包装物Ｂ、特には背面中央部に下方に延びるスタンド等の突出部片ｂ１を有する被包装物Ｂの梱包に使用する場合、ダンボール箱等の直方体形状の外装箱内の下部に下部緩衝部材２０を配置しておき、この状態で被包装物Ｂほ外装箱内に収納して、前記下部緩衝部材２０の凹部２１に該被包装物Ｂの下部を嵌合して保持するとともに、背面の前記突出部片ｂ１の下端部を前記凹部２１からの拡張凹部２１ａに嵌合して保持する。次に、被包装物Ｂの上部に上部緩衝部材１０の凹部１１を嵌合して保持するように被せる。この上部緩衝部材１０は、前記突出部片ｂ１の上方の背部側壁１２に有する突起部１３が、外装箱の背面側内面に当接して、前記背部側壁１２が外装箱内面から離隔状態に保持される。これにより、前記突起部１３とこれに連続する背部側壁１２とにより、外装箱内の少なくとも一方、例えば図のように両方の隅角部分に付属品ｂ２の収納部３０が画される。そこで、付属品ｂ２、すなわちキーボードや説明書あるいはこれらをカートンにより包装した包装体等の付属品ｂ２を前記収納部３０に挿入して収容する。
【００２６】
こうして梱包した状態で輸送等に供した場合において、取扱上の側面落下や稜落下あるいは角落下により、付属品ｂ２を介して上部緩衝部材１０の背部側壁１２より突出した突起部１３に側方から強い力が作用し、該突起部１３の側面と背部側壁１２の外面との交差部１５に交差部に割り裂くような応力（引っ張り応力）が集中することがあっても、該交差部１５の開口部１４の内面側の部位には所要幅の肉盛り部１６が設けられているため、背部側壁１２における前記交差部１５から開口部１４内面側に到る割れや裂け目の発生さらにはその拡大を、前記肉盛り部１６により抑制できる。
【００２７】
そのため、本発明の包装用緩衝材Ａによれば、上部緩衝部材１０の背部側壁１２の外面に外装箱内面に当接する突起部１３を設けて、該突起部１３と背部側壁１２とにより付属品ｂ２の収納部を画するようにしたものにおいて、肉盗みによる材料節約の効果を損なうことなく、梱包状態での側面落下や側部稜落下あるいは角落下による上部緩衝部材１０の割れの発生を防止することができ、耐久性を高めることができる。
【符号の説明】
【００２８】
Ａ…包装用緩衝材、Ｂ…被包装物、ｂ１…突出部片、ｂ２…付属品、１０…上部緩衝部材、１１…凹部、１２…背部側壁、１３…突起部、１３ａ…側端部、１３ｂ…凹設部、１４…開口部、１５…交差部、１６…肉盛り部、２０…下部緩衝部材、２０ａ…底部、２１…凹部、２１ａ…拡張凹部、２２…背部側壁、２３…拡張壁部、２３ａ…背面側壁部、２４…開口部、３０…付属品の収納部。
【図１】
2013203408.tif 000003
【図２】
2013203408.tif 000004
【図３】
2013203408.tif 000005
【図４】
2013203408.tif 000006
【図５】
2013203408.tif 000007
【図６】
2013203408.tif 000008
【図７】
2013203408.tif 000009
【図８】
2013203408.tif 000010
【図９】
2013203408.tif 000011
【図１０】
2013203408.tif 000012
【図１１】
2013203408.tif 000013